(57)【特許請求の範囲】
【請求項１】
前身頃と後身頃とを含む身頃、左袖、および右袖を備える衣料の上半身部であって、
前記前身頃が、左側には左抉り部を含み、右側には右抉り部を含み、
前記左袖が前面に、前記前身頃の左抉り部に縫合された左縫合端部を含み、前記左縫合端部が前記前身頃の左抉り部に縫合される前では、前記左縫合端部の左右方向の幅が前記前身頃の左抉り部の深さよりも小さく、
前記右袖が前面に、前記前身頃の右抉り部に縫合された右縫合端部を含み、前記右縫合端部が前記前身頃の右抉り部に縫合される前では、前記右縫合端部の左右方向の幅が前記前身頃の右抉り部の深さよりも小さく、
前記左袖の背面と前記右袖の背面との間には、着用者の左右の肩甲骨が互いから離れることを阻む規制部が設けられている、
衣料の上半身部。
【請求項２】
前記規制部が、前記後身頃のうち、前記後身頃と前記左袖との間の境界から前記後身頃と前記右袖との間の境界までに位置する領域を含む、請求項１に記載の衣料の上半身部。
【請求項３】
前記規制部が、前記後身頃に付加された前記後身頃とは別の生地を含む、請求項１に記載の衣料の上半身部。
【請求項４】
前記左抉り部の最深部が前記前身頃の左肩のうち最も左側の部分よりも右側に位置し、前記右抉り部の最深部が前記前身頃の右肩のうち最も右側の部分よりも左側に位置する、請求項１から請求項３までのいずれか一項に記載の衣料の上半身部。
【請求項５】
前記左袖の前面と前記前身頃との間の縫合部分のうち、最も下方に位置する第１縫合点が、前記左袖の背面と前記身頃との間の境界のうち、最も下方に位置する第１最下点よりも上方に配置され、
前記右袖の前面と前記前身頃との間の縫合部分のうち、最も下方に位置する第２縫合点が、前記右袖の背面と前記身頃との間の境界のうち、最も下方に位置する第２最下点よりも上方に配置されている、
請求項１から請求項４までのいずれか一項に記載の衣料の上半身部。
【請求項６】
前記第１縫合点と前記第１最下点との間の上下方向における最短距離は１ｃｍ以上２０ｃｍ以下であり、
前記第２縫合点と前記第２最下点との間の上下方向における最短距離は１ｃｍ以上２０ｃｍ以下である、
請求項５に記載の衣料の上半身部。
【請求項７】
前記左袖は、
前記左縫合端部を含み、かつ前記身頃の左側に繋がっている左連繋部と、
前記左袖の長さ方向において２０％伸長時に伸長力が４５ｃＮ以上となる難伸長領域と
を有し、
前記左袖の難伸長領域は、少なくとも前記左連繋部の背面に広がっており、
前記右袖は、
前記右縫合端部を含み、かつ前記身頃の右側に繋がっている右連繋部と、
前記右袖の長さ方向において２０％伸長時に伸長力が４５ｃＮ以上となる難伸長領域と
を有し、
前記右袖の難伸長領域は、少なくとも前記右連繋部の背面に広がっており、
請求項１から請求項６までのいずれか一項に記載の衣料の上半身部。
【請求項８】
前記左袖の難伸長領域は、前記左連繋部の背面から前面にわたって広がっており、
前記右袖の難伸長領域は、前記右連繋部の背面から前面にわたって広がっている、
請求項７に記載の衣料の上半身部。
【請求項９】
前記左袖は、
前記左縫合端部を含み、かつ前記身頃の左側に繋がっている左連繋部と、
前記左袖の長さ方向に４５ｃＮ以上の伸張力をかけても伸長率が２０％未満でしかない非伸長領域と
を有し、
前記左袖の非伸長領域は、少なくとも前記左連繋部の背面に広がっており、
前記右袖は、
前記右縫合端部を含み、かつ前記身頃の右側に繋がっている右連繋部と、
前記右袖の長さ方向に４５ｃＮ以上の伸張力をかけても伸長率が２０％未満でしかない非伸長領域と
を有し、
前記右袖の非伸長領域は、少なくとも前記右連繋部の背面に広がっている、
請求項１から請求項６までのいずれか一項に記載の衣料の上半身部。
【請求項１０】
前記左袖の非伸長領域は、前記左連繋部の背面から前面にわたって広がっており、
前記右袖の非伸長領域は、前記右連繋部の背面から前面にわたって広がっている、
請求項９に記載の衣料の上半身部。
【発明の詳細な説明】
【技術分野】
【０００１】
本発明は、衣料の上半身部に関する。
【背景技術】
【０００２】
着用者の上半身の少なくとも一部を覆うことができる衣料の上半身部が知られている（たとえば、特許文献１参照）。
【先行技術文献】
【特許文献】
【０００３】
【特許文献１】特開２０１４−１９６５８７号公報
【発明の概要】
【発明が解決しようとする課題】
【０００４】
人は、スマートフォン等の携帯機器を操作するとき、携帯機器を持つ腕が自身の正面中央側へ回るように、肩が正しい姿勢での位置よりも自身の前方へ出る姿勢を取りやすい。「正しい姿勢」とは、具体的には、平坦面に起立している人を真横から見た場合、その人の首のつけ根、肩、ひじ、くるぶしがほぼ一直線上に位置する姿勢である。両肩が前方へ出る姿勢は、頻繁に繰り返され、または長時間連続して保持された場合、巻き肩、猫背といった体形の悪化を招きかねない。「巻き肩」とは、肩甲骨が左右に広がって肩が内側へ入った体形をいう。「猫背」とは、背骨が前後に湾曲して頭が前へ出た姿勢をいう。これらの体形は肩こり等の痛みの原因にもなり得る。【０００５】
衣料には、着用者に正しい姿勢を保たせ、またはすでに悪化した着用者の姿勢を矯正する目的で、両袖の背面間の伸長力が強化されたものがある。強化された伸長力で、着用者の左右の肩甲骨が互いから離れることが阻まれるので、着用者は両肩が前方へ出る姿勢を取りづらい。しかし、その反面、伸長力が強化された領域とその他の領域との間での伸縮性の差に起因し、身頃と袖との間の境界では特に下側の領域が他の領域に引っ張られる。このような状態が長時間続くと、着用者の脇の下にはしわが発生し、脇の下に生地が食い込みやすい。その結果、着用者は不快感を覚えることが多い。【０００６】
本発明は、このような事情に鑑みてなされたものであり、両腕が正面中央側へ回るように両肩が前方へ出る姿勢を着用者に取らせづらくすると共に、着用者の脇の下におけるしわの食い込みを防ぐことができる衣料の上半身部の提供を目的とする。
【課題を解決するための手段】
【０００７】
本発明の一つの観点による衣料の上半身部は、前身頃と後身頃とを含む身頃、左袖、および右袖を備えている。前身頃は、左側には左抉り部を含み、右側には右抉り部を含む。左袖が前面に、前身頃の左抉り部に縫合された左縫合端部を含む。左縫合端部が前身頃の左抉り部に縫合される前では、左縫合端部の左右方向の幅が前身頃の左抉り部の深さよりも小さい。右袖が前面に、前身頃の右抉り部に縫合された右縫合端部を含む。右縫合端部が前身頃の右抉り部に縫合される前では、右縫合端部の左右方向の幅が前身頃の右抉り部の深さよりも小さい。左袖の背面と右袖の背面との間には、着用者の左右の肩甲骨が互いから離れることを阻む規制部が設けられている。【０００８】
規制部は着用者の両肩で引っ張られると、反力として引張力を発生させて、着用者の左右の肩甲骨が互いから離れることを阻む。これにより、着用者は両肩が前方へ出る姿勢を取りづらい。一方、前身頃と両袖の前面との間の境界では左右両側の縫合端部と抉り部との間に引張力が生じ、着用者の脇の下で規制部の引張力と拮抗するので、衣料のうち着用者の脇の下に位置する領域が他の領域には引っ張られにくい。したがって、着用時間が長引いても着用者の脇の下にはしわが発生しにくく、脇の下に食い込む生地の量が少ない。その結果、着用者が衣料から受ける不快感を防ぐことができる。【０００９】
規制部はたとえば、左右方向において２０％伸長時に伸長力が４５ｃＮ以上となる難伸長性の生地、または左右方向において４５ｃＮの伸長力を加えても伸長率が２０％未満でしかない非伸長性の生地で構成されている。ここで、「伸長力」とは、約２０℃（１８℃〜２２℃）の環境下において、幅２．５ｃｍ、長さ１０ｃｍの生地を定速伸長形引張試験機により、引張り速度３０ｃｍ／分で長さ方向に伸長させるのに必要な力をいう。この明細書には、定速伸長形引張試験機として島津製作所製ＡＧＳ−Ｘを用いて測定された伸長力の値が記載されている。【００１０】
規制部が、後身頃のうち、後身頃と左袖との間の境界から後身頃と右袖との間の境界までに位置する領域を含んでいてもよい。すなわち、後身頃のこの領域と規制部が一体に構成されていてもよい。ここで、「一体に構成されている」とは、規制部の生地が後身頃の他の領域の生地に縫製で繋げられていることであっても、他の領域の生地と共に編まれていることであってもよい。これとは別に、規制部が、後身頃に付加された後身頃とは別の生地を含んでいてもよい。この生地は、左右両側の袖の背面と後身頃との間の境界に縫合されていてもよく、左右両側の袖の背面に縫合されていてもよい。【００１１】
左抉り部の最深部が、前身頃の左肩部のうち最も左側の部分よりも右側に位置し、右抉り部の最深部が、前身頃の右肩部のうち最も右側の部分よりも左側に位置してもよい。前身頃と両袖の前面との間の境界で左右両側の縫合端部と抉り部との間に生じる引張力が、着用者の脇の下で規制部の引張力と更に拮抗しやすいので、衣料のうち着用者の脇の下に位置する領域が他の領域に更に引っ張られにくい。したがって、着用時間が長引いても着用者の脇の下にはしわが発生しにくく、脇の下に食い込む生地の量が少ない。その結果、着用者が衣料から受ける不快感を防ぐことができる。【００１２】
左袖の前面と前身頃との間の縫合部分のうち、最も下方に位置する第１縫合点が、左袖の背面と身頃との間の境界のうち、最も下方に位置する第１最下点よりも上方に配置されていてもよい。右袖の前面と前身頃との間の縫合部分のうち、最も下方に位置する第２縫合点が、右袖の背面と身頃との間の境界のうち、最も下方に位置する第２最下点よりも上方に配置されていてもよい。第１縫合点と第１最下点との間の上下方向における最短距離は１ｃｍ以上２０ｃｍ以下であってもよく、第２縫合点と第２最下点との間の上下方向における最短距離は１ｃｍ以上２０ｃｍ以下であってもよい。これらの構成では、身頃と左右の袖との間の境界の下側、特にその後側にはしわが発生しにくいので、そのしわに伴って着用者の脇の下に食い込む生地の量が低減する。したがって、この食い込みに起因する着用者の不快感が抑制される。【００１３】
左袖は左連繋部と難伸長領域とを有してもよい。左連繋部は左縫合端部を含み、かつ身頃の左側に繋がっている。難伸長領域は、左袖の長さ方向において２０％伸長時に伸長力が４５ｃＮ以上となる領域であり、少なくとも左連繋部の背面に広がっていてもよい。右袖は右連繋部と難伸長領域とを有してもよい。右連繋部は右縫合端部を含み、かつ身頃の右側に繋がっている。難伸長領域は、右袖の長さ方向において２０％伸長時に伸長力が４５ｃＮ以上となる領域であり、少なくとも右連繋部の背面に広がっていてもよい。左袖の難伸長領域は左連繋部の背面から前面にわたって広がっていてもよく、右袖の難伸長領域は右連繋部の背面から前面にわたって広がっていてもよい。これらの構成によれば、左右の袖の連繋部がいずれも、伸びに応じて強い引張力を発生させるので、いずれの連繋部も規制部の引張力をほとんど、または全く減殺しない。その結果、着用者の左右の肩甲骨、上腕上部、および肩の前方への移動をより効果的に阻止することができる。【００１４】
左袖と右袖とは難伸長領域に代えて非伸長領域を有してもよい。非伸長領域は、各袖の長さ方向に４５ｃＮ以上の伸張力をかけても伸長率が２０％未満でしかない領域である。左袖の非伸長領域は少なくとも左連繋部の背面に広がっていてもよく、右袖の非伸長領域は少なくとも右連繋部の背面に広がっていてもよい。左袖の非伸長領域は左連繋部の背面から前面にわたって広がっていてもよく、右袖の非伸長領域は右連繋部の背面から前面にわたって広がっていてもよい。これらの構成によれば、左右の袖の連繋部がいずれもほとんど伸びない、または実質上伸びないので、いずれの連繋部も規制部の引張力をほとんどまたは全く減殺しない。その結果、着用者の左右の肩甲骨、上腕上部、および肩の前方への移動をより効果的に阻止することができる。
【発明の効果】
【００１５】
本発明の上記の観点による衣料の上半身部では、着用者の左右の肩甲骨が互いから離れることを規制部が阻むので、着用者は両肩が前方へ出る姿勢を取りづらい。一方、前身頃と両袖の前面との間の境界では左右両側の縫合端部と抉り部との間の引張力により、着用者の脇の下にはしわが発生しにくく、脇の下に食い込む生地の量が少ない。このように本発明による衣料の上半身部は、両腕が正面中央側へ回るように両肩が前方へ出る姿勢を着用者に取らせづらくすると共に、着用者の脇の下におけるしわの食い込みを防ぐことができる。
【図面の簡単な説明】
【００１６】
【図１】本発明の実施形態１による衣料の上半身部の正面図である。
【図２】図１が示す衣料の上半身部の背面図である。
【図３】図１が示す前身頃と図２が示す後身頃とのうち、左袖ぐり１１８の近傍を示す部分展開図である。
【図４】図１が示す前身頃と左袖とのうち、左袖ぐりの近傍を示す部分展開図である。
【図５】図２が示す後身頃と左袖とのうち、左袖ぐりの近傍を示す部分展開図である。
【図６】本発明の実施形態２による衣料の上半身部の背面図である。
【図７】本発明の実施形態２による衣料の上半身部の第１変形例の背面図である。
【図８】本発明の実施形態２による衣料の上半身部の第２変形例の背面図である。
【図９】本発明の実施形態２による衣料の上半身部の第３変形例の背面図である。
【図１０】本発明の実施形態２による衣料の上半身部の第４変形例の背面図である。
【発明を実施するための形態】
【００１７】
以下、本発明の実施形態について、図面を参照しながら説明する。
《実施形態１》
【００１８】
図１、図２はそれぞれ、本発明の実施形態１による衣料の上半身部１００の正面図、背面図である。なお、本明細書では、衣料の上半身部１００の着用者を基準にして左右方向を定める。たとえば、「左方向」は、図１では右方向に描かれ、図２では左方向に描かれる。
【００１９】
衣料の上半身部１００は、着用者の体幹上部および両上腕を包み込むように構成されている。衣料の上半身部１００には、肌着として着用されるインナーウェアと、中衣もしくは上着として着用されるアウターウェアとがある。実態形態１による衣料の上半身部１００は、半袖のシャツである。
【００２０】
衣料の上半身部１００は、身頃１１０、１２０、左袖１３０、および右袖１４０を備えている。身頃１１０、１２０は太い筒状であり、着用者の体幹上部を包むように構成されている。身頃は前身頃１１０および後身頃１２０を含む。前身頃１１０は、身頃のうち着用者の体幹上部の前面（胸と腹）に対向する部分であり、その前面のほぼ全体を覆う。後身頃１２０は、身頃のうち着用者の体幹上部の背面（背中）に対向する部分であり、その背面の全体を覆う。前身頃１１０と後身頃１２０とはいずれも形状が左右対称である。左袖１３０は身頃の左側に、右袖１４０は身頃の右側に、それぞれ設けられている。両袖１３０、１４０はいずれも細い筒状であり、着用者の左右の上腕上部を包むように構成されている。両袖１３０、１４０は長さ方向（図１が示す矢印ＬＤＬ、ＲＤＬの方向）のサイズが自由に設定可能である。実施形態１では、両袖１３０、１４０は半袖に設定されている。その他に、両袖１３０、１４０は長袖でも七分袖であってもよい。
【００２１】
なお、衣料の上半身部１００の身頃は、前身頃１１０と後身頃１２０との２パーツに代えて、前身頃、左右の脇身頃、および後身頃の４パーツで構成されていてもよい。この場合に本発明が適用されるには、脇身頃が前身頃の一部とみなされればよい。
【００２２】
前身頃１１０と後身頃１２０とは、左脇１１３、右脇１１４、および肩１１５で縫合されている。これにより身頃は、襟ぐり１１６、裾１１７、左袖ぐり１１８、および右袖ぐり１１９を含む。襟ぐり１１６は、身頃が成す筒形の上側の開口部に相当し、裾１１７は下側の開口部に相当する。左袖ぐり１１８は、身頃の左上側に開けられた穴の縁であり、右袖ぐり１１９は、身頃の右上側に開けられた穴の縁である。左袖ぐり１１８には左袖１３０の基端部、すなわち袖山が縫合され、右袖ぐり１１９には右袖１４０の袖山が縫合されている。
【００２３】
前身頃１１０を構成する生地は伸縮性であっても、非伸縮性であってもよい。一方、後身頃１２０を構成する生地は伸縮性である。ただし、後身頃１２０のうち、左袖１３０と右袖１４０との間の領域１２８（図２が示す密なドット領域参照。）は、難伸長性または非伸長性の生地で構成されている。「難伸長性」とは、生地が伸びにくいこと、具体的には、左右方向において２０％伸長時に生地の伸長力が４５ｃＮ以上となることをいう。「非伸長性」とは、生地がほとんど伸びない、または実質上伸びないこと、具体的には、左右方向において４５ｃＮの伸長力を加えても生地の伸長率が２０％未満でしかないことをいう。生地の難伸長性または非伸長性により、この領域１２８は後身頃１２０の他の領域と比べ、外からの引張力に対する反力が強い。この領域１２８を、以下、「規制部」と呼ぶ。規制部１２８は、後身頃１２０のうち、左脇１１３と右脇１１４とを左右方向に最短距離で結ぶ直線ＬＶＬよりも上方に位置する。規制部１２８の左側には左袖１３０の背面１３２が縫合され、右側には右袖１４０の背面１４２が縫合されている。これにより、規制部１２８は、着用者の左右の肩甲骨が互いから離れることを阻むことができる。
【００２４】
なお、規制部は後身頃１２０のうち、左袖１３０の背面１３２と右袖１４０の背面１４２との間の領域１２８に限らず、それよりも広い領域、更には後身頃１２０全体で構成されていてもよい。
【００２５】
図３は、前身頃１１０と後身頃１２０とのうち、左袖ぐり１１８の近傍を示す部分展開図である。なお、右袖ぐり１１９の近傍の部分展開図は、図３の左右を反転させた図に等しい。したがって、以下では左袖ぐり１１８について説明する。その説明は右袖ぐり１１９についても援用される。
【００２６】
前身頃１１０と後身頃１２０との間の縫合が解かれると、左袖ぐり１１８は前部３１０と後部３２０とに分かれる。左袖ぐり１１８の前部３１０は前身頃１１０の左上側（図３では右上側）に位置し、左抉り部３１１と左脇上部３１２とを含む。左抉り部３１１は、前身頃１１０の左上角を抉り取った跡のような曲線形状であり（図３参照。）、左袖１３０の前面１３１と縫合される。左脇上部３１２は、身頃の左脇１１３の上端を構成する部分であり、左袖１３０の背面１３２と縫合される。左袖ぐり１１８の後部３２０は後身頃１２０の左上側に位置し、後身頃１２０の左上角を抉り取った跡のような曲線形状であり（図３参照。）、その全体が左袖１３０の背面１３２と縫合される。
【００２７】
左袖ぐり１１８の前部３１０は左袖１３０の前面１３１と背面１３２との両方に縫合され、後部３２０は左袖１３０の背面１３２にのみ縫合される。この違いにより、図２が示すように、左袖１３０の前面１３１と前身頃１１０との間の縫合部分の最下点ＳＴＰが、左袖１３０の背面１３２と身頃１１０、１２０との間の境界の最下点ＬＷＰよりも、距離ＬＵＰだけ上方に配置される。この距離ＬＵＰは好ましくは１ｃｍ以上２０ｃｍ以下である。この距離ＬＵＰにより、規制部１２８の引張力が左袖１３０の前面１３１と前身頃１１０との間の縫合部分の最下点ＳＴＰに直接的には作用しない。その結果、その最下点ＳＴＰの近傍、すなわち着用者の左脇の下側、特にその後側では、生地の引張力の方向による強さの偏りが比較的小さく抑えられるので、しわが発生しにくい。したがって、そのしわに伴って着用者の脇の下に食い込む生地の量が低減する。
【００２８】
図４は、前身頃１１０と左袖１３０とのうち、左袖ぐり１１８の近傍を示す部分展開図である。図５は、後身頃１２０と左袖１３０とのうち、左袖ぐり１１８の近傍を示す部分展開図である。なお、右袖ぐり１１９の近傍の部分展開図は、図４、図５の左右を反転させた図に等しい。したがって、以下では、左袖ぐり１１８と左袖１３０とについて説明する。その説明は右袖ぐり１１９と右袖１４０とについても援用される。
【００２９】
左袖１３０は、袖上部４１０と袖下部４２０とが筒状に縫合された構造である。袖上部４１０は左袖１３０の前面１３１の全体と背面１３２の上部とを成し、袖下部４２０は左袖１３０の背面１３２の下部を成す。図２には、袖上部４１０と袖下部４２０との間の縫合線４３０が示されている。この縫合線４３０は左袖１３０の背面１３２を左袖１３０の長さ方向に沿って袖口１３３まで伸びている。もう１本の縫合線は左袖１３０の袖下１３４に沿って伸びている。
【００３０】
左袖１３０の袖上部４１０の前縫合端部４１１（以下、「左縫合端部」と略す。）が前身頃１１０の左抉り部３１１に縫合され、左袖１３０の袖下部４２０の前縫合端部４２１が前身頃１１０の左脇上部３１２に縫合される（図４参照）。特に、左縫合端部４１１の両端ＬＰ１、ＬＰ２が左抉り部３１１の両端ＬＰ３、ＬＰ４に縫合される。実施形態１では更に、左縫合端部４１１の周長ｄ２が左抉り部３１１の周長ｄ３に等しく設定される：ｄ２＝ｄ３。なお、これらの周長ｄ２、ｄ３は、伸ばし縫い等により適切に縫合を実行できる値であればよく、特に、互いに異なる値であってもよい。
【００３１】
左袖１３０の残りの端部４１２−４１５、４２２−４２５は次のように縫合される。左袖１３０の袖上部４１０の後縫合端部４１２と袖下部４２０の後縫合端部４２２とは、後身頃１２０の後部３２０に縫合される（図５参照）。袖上部４１０の袖下端部４１４と袖下部４２０の袖下端部４２４とが互いに縫合され、左袖１３０の袖下１３４を形成する（図１、図２参照）。袖上部４１０の袖縫合端部４１５と袖下部４２０の袖縫合端部４２５とが互いに縫合され、左袖１３０の縫合線４３０を形成する（図２参照）。以上の結果、袖上部４１０の袖口端４１３と袖下部４２０の袖口端４２３とが左袖１３０の袖口１３３を形成する。
【００３２】
左抉り部３１１のうち、前身頃１１０の左右方向における中心線ＣＬＮ（図１参照。）に最も近い部分ＭＤＰを「最深部」と呼ぶ。図４が示すとおり、左抉り部３１１の最深部ＭＤＰは前身頃１１０の左肩１１５のうち最も左側の部分、すなわち左抉り部３１１の上端ＬＰ３よりも距離ｄ１（たとえば、ｄ１＝１ｃｍ〜２ｃｍ。）だけ右側（図４では左側）に位置する。左抉り部３１１のこのような大きな曲がりに対し、左袖１３０の左縫合端部４１１は曲がりが小さい。すなわち、左袖１３０が前身頃１１０に縫合される前では左縫合端部４１１の左右方向の幅ｄ４が左抉り部３１１の深さｄ５よりも小さい：ｄ４＜ｄ５。ここで、左縫合端部４１１の左右方向の幅ｄ４は、左縫合端部４１１の両端ＬＰ１、ＬＰ２を結ぶ直線ＬＮ１から左縫合端部４１１までの距離の最大値であり、左抉り部３１１の深さｄ５は、左抉り部３１１の両端ＬＰ３、ＬＰ４を結ぶ直線ＬＮ２から最深部ＭＤＰまでの距離である。このような寸法の設定により、左袖１３０が前身頃１１０に縫合された後では、左袖１３０の前面に、前身頃１１０へ向かう方向の引張力が生じる。この引張力が左袖１３０の脇下部分、特にその前側で、規制部１２８（図２参照。）からの引張力と拮抗し、しわの発生を防ぐ。こうして、そのしわに伴って着用者の脇の下に食い込む生地の量が低減する。
【００３３】
左袖１３０は左連繋部（袖山ともいう。）１３５、１３６を含む。左連繋部１３５、１３６は、左袖１３０のうち、着用者の左肩を覆う部分である。左連繋部１３５、１３６は特に左縫合端部４１１を含む。左連繋部のうち、前面１３５（図１が示す粗いドット領域参照。）は左袖１３０の袖上部４１０のみで構成され、背面１３６（図２が示す粗いドット領域参照。）は左袖１３０の袖上部４１０の一部と袖下部４２０とで構成されている。
【００３４】
左袖１３０のうち少なくとも左連繋部の背面１３６は難伸長領域、または非伸長領域である。「難伸長領域」とは、生地が伸びにくい領域、具体的には、左袖１３０の長さ方向ＬＤＬにおいて４５ｃＮ以上６００ｃＮ以下の伸長力を加えると２０％伸長する領域をいう。この伸長力は、左袖１３０の長さ方向の２０％伸長時に６０ｃＮ以上５００ｃＮ以下となるものが好ましく、左袖１３０の長さ方向の２０％伸長時に８０ｃＮ以上４００ｃＮ以下となるものがより好ましい。「非伸長領域」とは、生地がほとんど、または実質上伸びない領域、具体的には、左袖１３０の長さ方向ＬＤＬに４５ｃＮの伸長力を加えても伸長率が０％から２０％未満まででしかない領域をいう。好ましくは、非伸長領域は、左袖１３０の長さ方向ＬＤＬに４５ｃＮの伸長力を加えても伸長率が０％から１０％未満まででしかない領域である。左袖１３０の難伸長領域、または非伸長領域は、左連繋部の背面１３６から前面１３５にわたって広がっていてもよい。これらの構成によれば、左連繋部の少なくとも背面１３６が外からの引張力に対して強い反力を発生させるので、左連繋部１３５、１３６が規制部１２８の引張力をほとんど、または全く減殺しない。その結果、着用者の左の肩甲骨、上腕上部、および肩の前方への移動をより効果的に阻止することができる。右袖１４０についても同様である。
《実施形態２》
【００３５】
本発明の実施形態１による衣料の上半身部１００では、後身頃１２０の規制部１２８が後身頃１２０の他の領域と一体に編み込まれている。しかし、これに限らず、規制部は、後身頃１２０に付加された別の生地で構成されていてもよい。
【００３６】
図６は、本発明の実施形態２による衣料の上半身部５００の背面図である。この上半身部５００は、実施形態１によるもの１００とは異なり、長袖のシャツである。なお、この上半身部５００は半袖でも七分袖であってもよい。この上半身部５００では更に、後身頃５２０の全体が前身頃５１０と同程度の伸縮性を有する一方、規制部５２８が、後身頃５２０に付加された別の生地で構成されている。規制部５２８の生地は難伸長性、または非伸長性である。規制部５２８の生地は左右方向に長い矩形状であり、左右方向の両端５２３、５２４が左右両側の袖５３０、５４０の背面５３２、５４２と後身頃５２０との間の境界５２１、５２２に縫合されている。このような規制部５２８が後身頃５２０に付加されているので、着用者の左右の肩甲骨が互いから離れることは阻止される。すなわち、左右の上腕上部が正面中央側へ回るように左右の肩が前方に出る姿勢を、着用者は取りづらい。その結果、巻き肩または猫背といった悪い姿勢を着用者が取ることが効果的に抑制される。さらに、すでに体形が悪化した着用者の姿勢を矯正させる効果が高められる。
【００３７】
図７が示すように、規制部５２８の生地の両端５２３、５２４は左右両側の袖５３０、５４０の背面５３２、５４２に縫合されていてもよい。図８が示すように、規制部５２８の生地の両端５２３、５２４はそれぞれ、左袖ぐり５２１、右袖ぐり５２２と交差して、左右両側の袖５３０、５４０の背面５３２、５４２と後身頃５２０との両方に縫合されていてもよい。図９が示すように、規制部５２８の左側は左袖ぐり５２１から左袖５３０の背面５３２へ広がり、左袖５３０の下側から前面に達していてもよい。同様に、規制部５２８の右側は右袖ぐり５２２から右袖５４０の背面５４２へ広がり、右袖５４０の下から前面に達していてもよい。規制部は単一の生地が付加されたものには限られず、複数枚の生地から構成されていてもよい。図１０が示すように、規制部には、２枚の帯状の生地５６８、５７８が交差するように付加されていてもよい。これら５６８、５７８は、互いに平行に配置されてもよい。
【００３８】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００３９】
１００  衣料の上半身部
１１０  前身頃
１１３  左脇
１１４  右脇
１１５  肩
１１６  襟ぐり
１１７  裾
１１８  左袖ぐり
１１９  右袖ぐり
１２０  後身頃
１２８  規制部
１３０  左袖
１３１  左袖の前面
１３２  左袖の背面
１３３  左袖の袖口
１３４  左袖の袖下
１３５  左連繋部の前面
１３６  左連繋部の背面
１４０  右袖
３１０  左袖ぐりの前部
３１１  左抉り部
３１２  左脇上部
３２０  左袖ぐりの後部
【要約】
前身頃が、左側には左抉り部を含み、右側には右抉り部を含む。左袖が前面に、前身頃の左抉り部に縫合された左縫合端部を含む。左縫合端部が前身頃の左抉り部に縫合される前では、左縫合端部の左右方向の幅が前身頃の左抉り部の深さよりも小さい。右袖が前面に、前身頃の右抉り部に縫合された右縫合端部を含む。右縫合端部が前身頃の右抉り部に縫合される前では、右縫合端部の左右方向の幅が前身頃の右抉り部の深さよりも小さい。左袖の背面と右袖の背面との間には、着用者の左右の肩甲骨が互いから離れることを阻む規制部が設けられている。【図１】
0006696663.tif 000002
【図２】
0006696663.tif 000003
【図３】
0006696663.tif 000004
【図４】
0006696663.tif 000005
【図５】
0006696663.tif 000006
【図６】
0006696663.tif 000007
【図７】
0006696663.tif 000008
【図８】
0006696663.tif 000009
【図９】
0006696663.tif 000010
【図１０】
0006696663.tif 000011